(57)【要約】      （修正有）【課題】デザイン制作ソフトに不慣れなユーザーであっても印刷物の印刷に必要なデザインデータの作成を容易にすることができるデザイン制作支援サーバ、方法及びそのためのプログラムを提供する。【解決手段】サーバは、印刷するチラシの目的を指定するための画面を表示するための目的指定画面表示データをユーザー端末に送信し、ユーザー端末から受信した目的の指定に基づいて、制作するデザインのテイストを判定する。次いで、サーバは、印刷されるデータを入力するための画面を表示するための文字入力画面表示データを送信し、ユーザー端末から受信した入力データと判定したテイストとに基づいて、レイアウトと背景との組み合わせである複数のデザインを生成し、デザインを決定するためのデザイン決定画面表示データをユーザー端末に送信する。【選択図】図２
2020091665.tif 000002
【特許請求の範囲】
【請求項１】
印刷物のデザイン制作を支援するための方法であって、
ユーザー端末から、前記印刷物の目的及び前記印刷物に印刷されるデータを受信するステップと、
前記目的に基づいて、前記印刷物のデザインのテイストを判定するステップと、
前記テイスト及び前記データに基づいて、複数のデザインを生成するステップと、
前記複数のデザインのうちのいずれかを前記印刷物のデザインとする決定を受信するステップと
を含むことを特徴とする方法。
【請求項２】
前記複数のデザインパターンのそれぞれは、レイアウトと背景との組み合わせであることを特徴とする請求項１に記載の方法。
【請求項３】
前記複数のデザインパターンは、２以上のレイアウトと２以上の背景との組み合わせの４以上のデザインパターンであることを特徴とする請求項２に記載の方法。
【請求項４】
前記背景の色は、前記データに含まれる前記画像に応じて選択されることを特徴とする請求項２又は３に記載の方法。
【請求項５】
前記目的は、男性向け又は女性向けのいずれかを含むことを特徴とする請求項１から４のいずれかに記載の方法。
【請求項６】
前記目的は、商品紹介、イベント告知及び求人のいずれかを含むことを特徴とする請求項１から４のいずれかに記載の方法。
【請求項７】
前記データは、文字及び画像を含むことを特徴とする請求項１から６のいずれかに記載の方法。
【請求項８】
前記画像は、ユーザーがアップロードしたファイルから抽出した画像であることを特徴とする請求項７に記載の方法。
【請求項９】
前記データは、第１のメッセージと、前記第１のメッセージよりも小さく表示される１又は複数の第２のメッセージを含むことを特徴とする請求項７に記載の方法。
【請求項１０】
前記第１のメッセージは、画像を含むことを特徴とする請求項９に記載の方法。
【請求項１１】
前記画像内のメインオブジェクトを前記第１のメッセージの画像表示領域内に配置することを特徴とする請求項１０に記載の方法。
【請求項１２】
前記文字を前記画像内のメインオブジェクトに重複しない位置に配置することを特徴とする請求項７に記載の方法。
【請求項１３】
前記文字の色を前記画像の色に基づいて選択することを特徴とする請求項７に記載の方法。
【請求項１４】
コンピュータに、印刷物のデザイン制作を支援するための方法を実行させるためのプログラムであって、前記方法は、
ユーザー端末から、前記印刷物の目的及び前記印刷物に印刷されるデータを受信するステップと、
前記目的に基づいて、前記印刷物のデザインのテイストを判定するステップと、
前記テイスト及び前記データに基づいて、複数のデザインを生成するステップと、
前記複数のデザインのうちのいずれかを前記印刷物のデザインとする決定を受信するステップと
を含むことを特徴とするプログラム。
【請求項１５】
印刷物のデザイン制作を支援するためのサーバであって、
ユーザー端末から、前記印刷物の目的及び前記印刷物に印刷されるデータを受信し、
前記目的に基づいて、前記印刷物のデザインのテイストを判定して、前記テイスト及び前記データに基づいて、複数のデザインを生成し、
前記複数のデザインのうちのいずれかを前記印刷物のデザインとする決定を受信することを特徴とするサーバ。
【発明の詳細な説明】
【技術分野】
【０００１】
本発明は、デザイン制作支援サーバ、方法及びそのためのプログラムに関し、より詳細には、オンラインでデザイン制作を支援するためのデザイン制作支援サーバ、方法及びそのためのプログラムに関する。
【背景技術】
【０００２】
印刷市場のＥＣ化が進んでいる。インターネット上で印刷の発注が可能となることによって、営業コストが削減され、低価格となることがユーザーに受け入れられている。我が国について言えば、印刷ＥＣ市場は２０１２年度の約４９０億円から年平均成長率１１．１％で成長し続け、２０１８年度では約９２０億円の規模になると予想されている（非特許文献１参照）。
【０００３】
インターネット上で発注をするためには、印刷物を印刷するためのデザインデータを入稿する必要があるところ、Illustratorのようなグラフィックデザイナーが使用するデザイン制作ソフトウェアに習熟したユーザーは多くなく、中小企業又は個人事業主の場合、その傾向は顕著である。
【０００４】
Illustratorを扱えないユーザーは、Microsoft Office（登録商標）を用いて入稿データを作成することがある。しかし、このようなデザイン用途ではないソフトウェアを用いて制作されたデザインは、集客という目的を果たす上で十分とは言い難いことが通常である。
【０００５】
代替的に、デザインデータを作成するためのソフトウェアを印刷会社が非デザイナー向けに提供している例がある。たとえば、出願人は、「オンラインデザイン」という名称の無料デザイン制作ソフトウェアを提供している（非特許文献２参照）。こうしたソフトウェアの多くは、複数のテンプレートが用意されており、その中から気に入ったものを選択し、文字の入力、レイアウトの変更等の編集をたとえばウェブブラウザ上で行うことで、デザインデータを作成可能とするものである。
【先行技術文献】
【非特許文献】
【０００６】
【非特許文献１】株式会社矢野経済研究所、印刷通販市場に関する調査結果2013、2013年11月7日
【０００７】
【非特許文献２】https://raksul.com/lp/online-design/
【発明の概要】
【発明が解決しようとする課題】
【０００８】
しかしながら、多くのユーザーにとって、このような非デザイナー向けのソフトウェアを用いても、デザイン制作は少なくとも数時間を要する作業であり、不慣れなユーザーにおいては、完成させること自体が困難である。印刷のオンラインサービスが拡がりつつあるものの、デザインデータを作成する難易度が高いため、多くのユーザーはこの環境から十分な利便性を享受することができていない。
【０００９】
実際、発明者らは、上記出願人のサービス利用履歴を分析する中で、名刺のようにデザインが比較的シンプルな印刷物については、サービスの利用開始からデザインデータの入稿までの入稿率が高いものの、チラシ、パンフレットのように画像を含み、デザインが複雑になるにつれて、入稿率が大きく低下することを見出した。テンプレートが用意されていても、そこからデザインを完成させることは容易ではないのである。
【００１０】
本発明は、このような問題点に鑑みてなされたものであり、その目的は、デザイン制作ソフトに不慣れなユーザーであっても印刷物の印刷に必要なデザインデータの作成を容易にすることにある。
【課題を解決するための手段】
【００１１】
このような目的を達成するために、本発明の第１の態様は、印刷物のデザイン制作を支援するための方法であって、ユーザー端末から、前記印刷物の目的及び前記印刷物に印刷されるデータを受信するステップと、前記目的に基づいて、前記印刷物のデザインのテイストを判定するステップと、前記テイスト及び前記データに基づいて、複数のデザインを生成するステップと、前記複数のデザインのうちのいずれかを前記印刷物のデザインとする決定を受信するステップとを含むことを特徴とする。
【００１２】
また、本発明の第２の態様は、第１の態様において、前記複数のデザインパターンのそれぞれは、レイアウトと背景との組み合わせであることを特徴とする。
【００１３】
また、本発明の第３の態様は、第２の態様において、前記複数のデザインパターンは、２以上のレイアウトと２以上の背景との組み合わせの４以上のデザインパターンであることを特徴とする。
【００１４】
また、本発明の第４の態様は、第２又は第３の態様において、前記背景の色は、前記データに含まれる前記画像に応じて選択されることを特徴とする。
【００１５】
また、本発明の第５の態様は、第１から第４のいずれかの態様において、前記目的は、男性向け又は女性向けのいずれかを含むことを特徴とする。
【００１６】
また、本発明の第６の態様は、第１から第４のいずれかの態様において、前記目的は、商品紹介、イベント告知及び求人のいずれかを含むことを特徴とする。
【００１７】
また、本発明の第７の態様は、第１から第６のいずれかの態様において、前記データは、文字及び画像を含むことを特徴とする。
【００１８】
また、本発明の第８の態様は、第７の態様において、前記画像は、ユーザーがアップロードしたファイルから抽出した画像であることを特徴とする。
【００１９】
また、本発明の第９の態様は、第７の態様において、前記データは、第１のメッセージと、前記第１のメッセージよりも小さく表示される１又は複数の第２のメッセージを含むことを特徴とする。
【００２０】
また、本発明の第１０の態様は、第９の態様において、前記第１のメッセージは、画像を含むことを特徴とする。
【００２１】
また、本発明の第１１の態様は、第１０の態様において、前記画像内のメインオブジェクトを前記第１のメッセージの画像表示領域内に配置することを特徴とする。
【００２２】
また、本発明の第１２の態様は、第７の態様において、前記文字を前記画像内のメインオブジェクトに重複しない位置に配置することを特徴とする。
【００２３】
また、本発明の第１３の態様は、第７の態様において、前記文字の色を前記画像の色に基づいて選択することを特徴とする。
【００２４】
また、本発明の第１４の態様は、コンピュータに、印刷物のデザイン制作を支援するための方法を実行させるためのプログラムであって、前記方法は、ユーザー端末から、前記印刷物の目的及び前記印刷物に印刷されるデータを受信するステップと、前記目的に基づいて、前記印刷物のデザインのテイストを判定するステップと、前記テイスト及び前記データに基づいて、複数のデザインを生成するステップと、前記複数のデザインのうちのいずれかを前記印刷物のデザインとする決定を受信するステップとを含むことを特徴とする。
【００２５】
また、本発明の第１５の態様は、印刷物のデザイン制作を支援するためのサーバであって、ユーザー端末から、前記印刷物の目的及び前記印刷物に印刷されるデータを受信し、前記目的に基づいて、前記印刷物のデザインのテイストを判定して、前記テイスト及び前記データに基づいて、複数のデザインを生成し、前記複数のデザインのうちのいずれかを前記印刷物のデザインとする決定を受信することを特徴とする。
【発明の効果】
【００２６】
本発明の一態様によれば、与えられたデザインテンプレートに印刷されるデータを入力していくのではなく、入力されたデータに対してデザインバリエーションを生成して、その中からいずれかのデザインをユーザーが決定することによって、ユーザーは、自らが入力した印刷物に印刷されるべきデータの視覚的な表現につき、直接的な関与をすることなく、入力内容に応じた適切なデザインの決定が可能となる。
【図面の簡単な説明】
【００２７】
【図１】本発明の一実施形態にかかるデザイン制作支援サーバを示す図である。
【図２】本発明の一実施形態にかかるデザイン制作支援方法の流れ図である。
【図３】ユーザー端末に表示されるサブメッセージの追加画面を示す図の一例である。
【図４】ユーザー端末に表示される例文選択画面を示す図の一例である。
【図５】デザインバリエーションの生成中にユーザー端末に表示される画面を示す図の一例である。
【図６】ユーザー端末に表示されるデザイン決定画面を示す図の一例である。
【発明を実施するための形態】
【００２８】
以下、本発明の実施形態を図面を参照して詳細に説明する。
【００２９】
図１に、本発明の一実施形態にかかるデザイン制作支援サーバを示す。サーバ１００は、ユーザー端末１１０とＩＰネットワーク等のコンピュータネットワークを介して通信し、ユーザー端末１１０のユーザーにデザイン制作サービスをウェブブラウザ上で提供する。
【００３０】
サーバ１００は、通信インターフェースなどの通信部１０１と、プロセッサ、ＣＰＵ等の処理部１０２と、メモリ、ハードディスク等の記憶装置又は記憶媒体を含む記憶部１０３とを備え、各処理を行うためのプログラムを実行することによって構成することができる。サーバ１００は１又は複数の装置ないしサーバを含むことがあり、また当該プログラムは１又は複数のプログラムを含むことがあり、また、コンピュータ読み取り可能な記憶媒体に記録して非一過性のプログラムプロダクトとすることができる。
【００３１】
また、サーバ１００は、必要に応じてデータベース１０４を備え、記憶部１０３又はサーバ１００からアクセス可能なデータベース１０４を含む記憶装置又は記憶媒体に以下で説明する動作に必要なデータを記憶することができる。
【００３２】
本発明は、チラシに限らず、ハガキ、二つ折りパンフレット、三つ折りパンフレット、リーフレットなど様々な印刷物（名刺を除く。）に適用可能であるところ、以下の説明ではチラシを例に説明する。
【００３３】
まず、ユーザー端末１１０のユーザーは、サーバ１００が提供するウェブサイトにアクセスする。必要に応じて、ユーザーは、当該ウェブサイト上で提供されるデザイン制作サービスにログインを行う。
【００３４】
サーバ１００は、最初に、印刷するチラシの目的を指定するための目的指定画面を表示するための目的指定画面表示データをユーザー端末１１０に送信する（Ｓ２０１）。主な目的としては、商品説明とイベント告知と求人が挙げられる。また、目的として、男性向けか女性向けかといった訴求したい顧客層をユーザーが選択するようにすることが考えられる。さらに男性向けカジュアル、男性向け高級感、女性向けカジュアル、女性向け高級感のように細分化してもよい。こうした目的の指定は、階層的に行われるようにしてもよく、たとえば、商品説明であって、男性向けという指定が考えられる。また、クリスマス等の告知を行う特定のイベントをユーザーが指定するようにすることが考えられる。
【００３５】
サーバ１００は、ユーザー端末１１０から受信した目的の指定に基づいて、制作するデザインのテイストを判定する（Ｓ２０２）。必要に応じて、業種についても目的の前又は後にユーザーに選択させて、業種及び目的から、サーバ１１０においてテイストを判定してもよい。本明細書において、「テイスト」とは目的を含み、目的自体であることもあるが、ユーザーが指定した目的に対応する雰囲気、目的と業種との組み合わせ自体又はそれに対応する雰囲気をさらに含む、デザインの方向性に影響を与えるパラメータである。テイストが指定された目的自体である場合には、サーバ１００は、ユーザー端末１１０から受信した目的をそのままテイストとして判定し、記憶する。
【００３６】
データベース１０４又はサーバ１００がアクセス可能な記憶媒体又は記憶装置には、たとえば、目的又は業種及び目的とテイストとの対応づけが記憶されており、当該対応づけを参照してテイストを判定することができる。また、目的に基づくテイストの判定ではなく、テイスト判定画面をユーザー端末１１０の表示画面に表示し、ユーザーに複数の選択を行わせることによって、サーバ１００が当該ユーザーに適したテイストを判定するようにすることが考えられる。データベース１０４又はサーバ１００がアクセス可能な記憶媒体又は記憶装置には、複数の選択とテイストとの対応づけを記憶しておく。サーバ１００からユーザー端末１１０にはテイスト判定画面表示データが送信され、ユーザー端末１１０からサーバ１００には、ユーザーによる複数の選択結果が送信される。ここで述べた対応づけは、あらかじめ人が生成しておくことができるが、機械学習によって生成したものも含まれる。
【００３７】
次いで、サーバ１００は、チラシに印刷されるデータを入力するための文字入力画面を表示するための文字入力画面表示データをユーザー端末１１０に送信する（Ｓ２０３）。入力されるべきデータには、文字及び画像が含まれる。
【００３８】
文字としては、印刷物を配布する企業の企業情報３０１が挙げられる。企業情報３０１は、企業名、連絡先、住所等を含むことができる。また、チラシなどの印刷物に印刷される内容として、メインメッセージ３０２（「第１のメッセージ」に相当）が挙げられる。メインメッセージ３０２は、見出し３０２−２及び紹介文３０２−３の少なくともいずれかを含む。図３に示すように、メインメッセージ３０２に加えて１又は複数のサブメッセージ３０３（「第２のメッセージ」に相当）としてアピールポイントを追加可能としてもよく、各サブメッセージ３０３は、見出し３０３−２及び紹介文３０３−３の少なくともいずれかを含む。各サブメッセージ３０３は、メインメッセージ３０２よりも小さく表示するのが好ましい。以下では、メインメッセージ及びサブメッセージをまとめて「メッセージ」と呼ぶことがある。
【００３９】
サーバ１００は、メッセージの見出し又は紹介文の入力を補助するために、ユーザー端末１１０に、図４に示すような伝えたい内容に応じた例文を選択可能とするための例文選択画面表示データを送信してもよい。
【００４０】
メッセージは、画像を含むことが可能であり、ユーザーによるサーバ１００又はサーバ１００からアクセス可能な記憶装置又は記憶媒体への送信ないしアップロード、既にアップロードされている１又は複数の画像からの選択によって指定することができる。また、メッセージに含めたい画像を含むＰＤＦなどのファイルをユーザーがサーバ１００又はサーバ１００からアクセス可能な記憶装置又は記憶媒体に送信し、当該ファイルから画像を抽出することによって指定が行われてもよい。
【００４１】
サーバ１００は、画像の入力を補助するために、ユーザー端末１１０に、入力された文字の内容に応じた画像を選択可能とするための画像選択画面表示データを送信したり、入力された文字の内容に応じた画像を自動的に選択したりしてもよい。データベース１０４又はサーバ１００がアクセス可能な記憶媒体又は記憶装置には、入力され得る文字と画像との対応づけを記憶しておき、これを参照して上記処理を実行することが可能である。当該対応づけは、あらかじめ人が生成しておくことができるが、機械学習によって生成したものも含まれる。
【００４２】
サーバ１００は、ユーザー端末１１０から受信した入力データと、あらかじめ判定したテイストとに基づいて、複数のデザインを生成する（Ｓ２０４）。各デザインは、レイアウトと背景との組み合わせで、２以上のレイアウトと２以上の背景の組み合わせで得られる４以上のデザインを含むデザインバリエーションを生成するのが好ましい。図５に示すように、生成はユーザーによる編集操作を伴わずに自動的に行われる。
【００４３】
ここで、本明細書において、「レイアウト」とは、ユーザーが入力した文字及び画像を含むデータを配置する位置及び大きさを意味し、「背景」とは、当該レイアウトに従って配置されるデータに隣接して配置される画像などの視覚的構成要素を意味する。背景には、各テイストに関連づけて登録された画像だけではなく、図３の背景３０４のように、単色の背景が含まれる。そして、本明細書において、「デザイン」とは、背景とともに特定のレイアウトに従ってデータが平面上に配置された視覚表現を意味する。当該デザインの定義は一般的な定義とは異なるものと考えられるが、本発明においては、デザインを少なくともデータとレイアウトと背景に分解し、それによって、ユーザーに求められる負荷を大幅に低減している。
【００４４】
より具体的には、データベース１０４又はサーバ１００がアクセス可能な記憶媒体又は記憶装置には、複数のレイアウトデータが記憶されており、サーバ１００は、入力データに基づいて、２以上のレイアウトデータを選択して、デザインバリエーションの生成に用いる。たとえば、入力データがメインメッセージ３０２に加えて３つのサブメッセージ３０３を含む場合、メッセージ数に対応したレイアウトデータの中から選択が行われる。２以上のレイアウトデータの選択は、入力データに加えて、判定されたテイストに応じて行われてもよい。
【００４５】
また、２以上の背景は、データベース１０４又はサーバ１００がアクセス可能な記憶媒体又は記憶装置にテイストと背景との対応づけを記憶しておき、当該対応づけを参照して選択することができる。２以上の背景の選択は、テイストに加えて、入力データに応じて行われてもよい。加えて、選択されたレイアウトに従って配置される文字の書体又は色をさらに変化させて、デザインバリエーションを豊富にすることもできる。
【００４６】
この際、メインメッセージ又はサブメッセージに含まれる画像を解析して、当該画像の色に基づいて画像周囲の背景の色やメインメッセージ又はサブメッセージに含まれる文字の色を決定してもよい。また、メインメッセージ又はサブメッセージに含まれる画像を解析して、メインメッセージ又はサブメッセージ内の画像表示領域内に当該画像の中のメインオブジェクトが配置されるようにしてもよい。メインオブジェクトの例としては、商品が挙げられる。また、メインメッセージ又はサブメッセージに含まれる画像を解析して、メインメッセージ又はサブメッセージ内の文字が当該画像の中のメインオブジェクトに重ならないように配置されるようにしてもよい。ここで、画像はユーザーが入力した画像全体が必ずしも表示ないし使用されなくともよい。
【００４７】
そして、サーバ１００は、生成した複数のデザインから印刷物に用いるデザインを決定するためのデザイン決定画面表示データをユーザー端末１１０に送信する（Ｓ２０５）。図６に示すようなデザイン決定画面６００がユーザー端末１１０の表示画面に表示され、ユーザーによるいずれかのデザインの決定がユーザー端末１１０からサーバ１００に送信され（Ｓ２０６）、サーバ１００において対応するデザインデータを記憶して、デザインデータの生成が完了する。デザインの決定は、たとえば、各デザインに付与されたデザイン識別子の送信によって、サーバ１００に伝えることが出来る。
【００４８】
従来の非デザイナー向けのデザイン制作ソフトウェアでは、デザインテンプレートをユーザーが選び、その中にデータを入力して編集していくフローとなるが、本発明では、ユーザーが入力した印刷物の目的及び当該印刷物に印刷されるデータに基づいて、印刷物のデザインを複数生成し、その中からユーザーが適切なデザインを決定するフローを採用する。決定されたデザインは、そのデザインデータを従来のデザイン制作ソフトウェアで編集して調整可能としてもよいが、ユーザーは、自らが入力した印刷物に印刷されるべきデータの視覚的な表現につき、直接的な関与をすることなく、入力内容に応じた適切なデザインの決定が可能となる。
【００４９】
上述の説明において、画像を例に説明してきたが、画像の代わりに又は画像に加えてイラストレーションを用いることも可能である。
【００５０】
また、上述の説明では、目的指定画面表示データ、データ入力画面表示データ、デザイン決定画面表示データなどが別途送信されるものとして記述したが、他のデータと共にユーザー端末１１０に送信され、ユーザーの操作に応じて所要の画面がユーザー端末１１０の表示画面に表示されるよう読み出されるようにしてもよい。
【００５１】
なお、「××のみに基づいて」、「××のみに応じて」、「××のみの場合」というように「のみ」との記載がなければ、本明細書においては、付加的な情報も考慮し得ることが想定されていることに留意されたい。また、一例として、「ａの場合にｂする」という記載は、明示した場合を除き、「ａの場合に常にｂする」ことを必ずしも意味しないことに留意されたい。
【００５２】
また、念のため、なんらかの方法、プログラム、端末、装置、サーバ又はシステム（以下「方法等」）において、本明細書で記述された動作と異なる動作を行う側面があるとしても、本発明の各態様は、本明細書で記述された動作のいずれかと同一の動作を対象とするものであり、本明細書で記述された動作と異なる動作が存在することは、当該方法等を本発明の各態様の範囲外とするものではないことを付言する。
【符号の説明】
【００５３】
１００  サーバ
１０１  通信部
１０２  処理部
１０３  記憶部
１０４  データベース
１１０  ユーザー端末
３０１  企業情報
３０２  メインメッセージ
３０２−１  画像
３０２−２  見出し
３０２−３  紹介文
３０３  サブメッセージ
３０３−１  画像
３０３−２  見出し
３０３−３  紹介文
３０４  背景
６００  デザイン決定画面
【図１】
2020091665.tif 000003
【図２】
2020091665.tif 000004
【図３】
2020091665.tif 000005
【図４】
2020091665.tif 000006
【図５】
2020091665.tif 000007
【図６】
2020091665.tif 000008